(57)【要約】【課題】  野菜、果物、草花などの子苗を育成するための育苗用ポットに関し、苗根に対する空気の流通がよく、排水が良好で根量の増大が可能な育苗用ポットを提供すること。【解決手段】  上端が開口し、この開口部１１ａから下方に向かって縮径され底壁１１ｂに排水孔１２を有する細長な筒状体容器１１からなる育苗用ポット１０において、前記筒状体容器１１は、その側壁に上方開口縁から下方に向かって所定長のスリット１３１（１３２）が形成されていることを特徴とする育苗用ポット。【選択図】      図１
2005229872.tif 000002
【特許請求の範囲】
【請求項１】
上端が開口し、この開口部から下方に向かって縮径され底壁に排水孔を有する細長な筒状体容器からなる育苗用ポットにおいて、
前記筒状体容器は、その側壁に上方開口縁から下方に向かって所定長のスリットが形成されていることを特徴する育苗用ポット。
【請求項２】
前記スリット長は、前記筒状体容器の長手方向長さを１として、０．３〜０．６の比率内の長さであることを特徴とする請求項１記載の育苗用ポット。
【請求項３】
前記スリットは、前記筒状体容器の側壁に複数本形成されていることを特徴とする請求項１又は２項に記載の育苗用ポット。
【請求項４】
前記開口部の外周縁に、この外周縁から外方向へ延設してフランジが形成され、前記フランジに前記スリットが連続して設けてあることを特徴とする請求項１〜３の何れか１項に記載の育苗用ポット。
【発明の詳細な説明】
【技術分野】
【０００１】
本発明は、野菜、果物、草花などの子苗を育成するための育苗用の小型容器（以下、育苗用ポットという）に係り、特に苺子苗の育苗に好適な育苗用ポットに関する。
【背景技術】
【０００２】
野菜、果物、草花などの子苗を育成するために、従来から種々の育苗用ポットが使用されている。
この種の育苗用ポットには、単一の育苗用ポット、或いは単一の育苗用ポットを多数個連接結合したトレー式の育苗用ポット等がある。これらの育苗用ポットは、概ね、上部の開口縁で終端する筒状の側壁と、中央部に排水孔を有する底壁とを備え、側壁及び底壁によって適宜の大きさの培土収容室が形成された鉢状容器からなり、ポリエチレン或いはビニール等のプラスチックで作製されている。
【０００３】
この育苗用ポットは、活着がよく生育の早い苗を育てるために、適度の通気性が維持され、且つ散水された水等が必要以上に残留して根腐れを起さないように工夫されている。（例えば、下記特許文献１〜３参照。）。
【０００４】
図３は、下記特許文献１に記載された２種類の育苗用ポットを示し、同図（ａ）は横断面が円形状タイプの育苗用容器を示す斜視図、同図（ｂ）は横断面が矩形状タイプの育苗用容器を示す斜視図である。
これらの育苗用ポット１は、何れも、上部の開口縁２で終端する筒状の側壁３と、側壁３における軸方向下端側に連続していて、中央部に排水孔５を備えた底壁４とを有し、側壁３及び底壁４によって所定の横断面形状を有する培土収容室６が形成され、側壁３及び底壁４には、側壁３の上端開口縁２近傍から底壁４の中央部排水孔５近傍にかけて連続して延びる複数条のスリット７が設けられている。これらのスリット７は、その一端７ａが側壁３の上端開口縁２に達しない位置で終端し、他端７ｂが底壁４の中央部排水孔５に達しない位置で終端するように形成されている。
【０００５】
また、同様の育苗用ポットは、下記の特許文献２に育苗用筒として紹介されている。図４は、この特許文献２に記載された育苗用筒を示し、同図（ａ）は側面図、同図（ｂ）は（ａ）のＡ−Ａ線の断面図である。
この育苗用筒８は、断面形状が円形状をなした筒状体容器８ａからなり、この筒状体容器８ａは下端側を先細りとしたテーパー形状に形成され、且つ側周壁に複数本の細幅の開口９を上下方向に切開され、更に下端が鈍頭状に形成され育成根の通り抜けを許す程度の開口面積を持つように下端開口９ａが開放された構造を有している。
【０００６】
更に、筒状の培土収容部と、筒状の培土収容部の上縁に形成されたフランジとを備えた育苗用容器において、フランジに培土収容部内へ開口した複数個の切欠部が形成された育苗用容器も知られている。（例えば、下記の特許文献３参照。）
【０００７】
【特許文献１】実開平５−４３８３８号（図１、［実用新案登録請求の範囲］）
【特許文献２】実用新案登録公報第２５６３２４９号（図１、［実用新案登録請求の範囲］）
【特許文献３】特開２０００−２３６７５４号（図１、［特許請求の範囲］）
【発明の開示】
【発明が解決しようとする課題】
【０００８】
本出願人は、長年、育苗用ポットを用いて苗の育成を研究し、多くの育苗用ポットを開発し、その成果を特許文献でも紹介している。例えば上記特許文献２、３のポットはその一例である。発明者等は、上記特許文献１〜３に記載されている構造の育苗用ポットを試作して、苺の子苗の育成から収穫までを実験してみた。その結果、何れの育苗用ポットもそれぞれ一長一短があり、収穫量を上げる子苗作りを目指して、更に種々の形状の育苗用ポットを試作し、実験してみた。その結果、育苗用ポットに最適な排水対策を施し、根量の増大を図ることが、理想とする子苗作りの条件になることを突き止めた。そして、発明者等は、これまでの育苗用ポットに最良の排水対策を施す共に、根量の増大が図れるような育苗用ポットを種々検討した結果、本願の発明を完成にするに至ったものである。
【０００９】
すなわち、本願発明の目的は、苗根に対する空気の流通がよく、排水が良好で根量の増大が可能な育苗用ポットを提供することである。
【課題を解決するための手段】
【００１０】
本願の請求項１に係る発明の育苗用ポットは、上端が開口し、この開口部から下方に向かって縮径され底壁に排水孔を有する細長な筒状体容器からなる育苗用ポットにおいて、
前記筒状体容器は、その側壁に上方開口縁から下方に向かって所定長のスリットが形成されていることを特徴する。
【００１１】
請求項２に係る発明は、請求項１に記載の育苗用ポットにおいて、前記スリット長は、前記筒状体容器の長手方向長さを１として、０．３〜０．６の比率内の長さであることを特徴とする。
【００１２】
請求項３に係る発明は、請求項１又は２項に記載の育苗用ポットにおいて、前記スリットは、前記筒状体容器の側壁に複数本形成されていることを特徴とする。
【００１３】
請求項４に係る発明は、請求項１〜３の何れか１項に記載の育苗用ポットにおいて、前記開口部の外周縁に、この外周縁から外方向へ延設してフランジが形成され、前記フランジに前記スリットが連続して設けてあることを特徴とする。
【発明の効果】
【００１４】
請求項１に記載の発明によれば、苺苗の育成に使用したところ、苗根に対する空気の流通がよく、排水が良好で根量の増大が可能となり、樹勢がよく着果数を従来品に比べて多くすることができた。
また、一般に植物の健全な育成を図るには、特に土壌汚染による病気予防を施す必要があるが、この育苗用ポットによると、ポットに詰められた土壌表面及びこの表面付近の水分の吸収が早く、短時間で表面部分が乾燥するので、土壌汚染を未然に防止することができる。一方、ポットの内部は、適度の水分が保持されるので、良好な育苗ができる。
更に、スリットを形成することにより、ポット上部の表面積が広がるので、水や液体肥料のスムーズな吸収を促すとともに、表面をより速く乾燥させることができ、土壌伝染性の病気の予防効果を奏するようになる。
【００１５】
請求項２、３に記載の発明によれば、特にスリットの長さを筒状体の長さ１に対して、０．３〜０．６の範囲内にし、複数本設けることにより、請求項１の効果に加え、一層、苗根に対する空気の流通がよく、排水が良好で根量の増大が可能となる。
【００１６】
請求項４に記載の発明によれば、散水された水等がスリットを通ってポット内へ導入されるため、高い集水作用を得ることができる。
【発明を実施するための最良の形態】
【００１７】
以下、本発明の好適な実施の形態を図面を参照しながら説明する。但し、以下に説明する実施形態は、本発明の技術思想を具体化するための育苗用ポットを例示するものであって、本発明をこれらに限定することを意図するものではなく、特許請求の範囲に含まれるその他の実施形態のものも等しく適用し得るものである。
【００１８】
図１は本発明の一実施例の育苗用ポットを示す斜視図、図２は本発明の育苗用ポットの変形例を示す斜視図である。
【実施例】
【００１９】
育苗用ポット１０は、図１に示すように、上方に開口部１１ａを有し、この開口部から下方に向かって縮径され底壁１１ｂを有する細長な筒状体容器１１からなり、底壁１１ｂに排水孔１２が設けられ、且つ筒状体容器１１の外周壁には開口縁から下方に向かって所定の長さＷを有する２本のスリット１３１、１３２が形成された構成を有する。この育苗用ポット１０は、野菜、果物、草花などの苗を育成するものであるが、育苗だけでなく植物によっては栽培も可能である。すなわち、植物の栽培は、通常、播種、育苗、定植及び収穫の過程を経て栽培されるが、育苗する植物によっては、例えば草花等は栽培までを行うことも可能となる。
【００２０】
２本のスリット１３１、１３２の長さＷは、筒状体の長さをＬとすると、Ｗ＝（０．３〜０．６）Ｌに設定される。この育苗用ポット１０は、特に苺苗の育成に好適である。具体的な大きさを例示すると、その容積は、約１３０ｃｃである。この容積の育苗用ポットは、開口の直径をＤ１、底壁の直径をＤ２、長さをＬとすると、例えばＤ１＝４０ｍｍ、Ｄ２＝２０ｍｍ、Ｌ＝１５０ｍで形成できる。その際、スリットの長さＷは、１５０×（０．３〜０．６）＝４５〜９０（ｍｍ）にする。なお、この育苗用ポットは、１３０ｃｃに限定されず、育成する苗の種類によってサイズが変更されるものである。
また、スリットの幅長は、約３．０ｍｍ程度が好ましい。
【００２１】
このような育苗用ポットに設けるスリットの本数は、２本に限定されず、１本或は３本以上でもよく、複数本設ける場合は、各スリットの間隔が均等になるように形成することが好ましい。
このような育苗用ポットには、使用時に少量の培土が詰められ子苗が植えられて育成される。そして、苗の発育がよければよいほど、小径のポットから抜け難くなる。しかし、育苗用ポットの側壁にスリットが形成されているので、ポット内で根が発育することによりポットの内周壁に圧力が加わっても、側壁にスリットを設けたことにより側壁が柔軟性を有し、以って前記圧力を受け止めるので根の発育に支障を来たすことがない。また、定植時の苗の抜き取りも容易になる。
【００２２】
育苗用ポット１０は、その上部開口の直径を例えば４．００ｃｍとすると、開口部の表面積は１２．５６ｃｍ2となる。そして、この育苗用ポットに３ｍｍのスリットを入れると、その開口の表面積は、１２．５６＋１．２（０．３×４）＝１３．７６ｃｍ2となり、スリットを設けない育苗用ポットに比べて、開口の表面積が約１０％の増大することになる。
したがって、このようなスリットを形成することにより、ポット上部の表面積が広がるので、使用時に水や液体肥料のスムーズな吸収を促すとともに、表面をより速く乾燥させることができ、土壌伝染性の病気の予防効果を奏するようになる。
【００２３】
この育苗用ポット１０は、合成樹脂材で成型され、この合成樹脂材は成型の容易性及びコストなどの観点からポリスチレン、ポリエチレン、ポリプロピレン等が好ましい。また、天然繊維を含む生分解性素材を用いてもよい。上方の開口部１１ａは、開口の外周縁に所定幅のフランジ片１４が外周囲に形成されている。このフランジ片１４は、育苗時に育苗用ポットを保持枠（図示省略）に保持する係止片として機能する。また、このフランジ片１４には、各スリット１３１、１３２と連通する溝が形成される。この溝を設けることにより、育苗用ポット１０が保持枠に取付けられ散水等されたとき、水等がこの溝内を流れるようになるのでポット内への水等の導入が容易になる。また、排水孔１２は、底壁１１ｂのほぼ中央部に形成されている。
【００２４】
図１の育苗用ポット１０は、円筒状の筒体であるが、円筒状に限定されず、矩形状にしてもよい。図２の育苗用ポット１０Ａは、筒状体を矩形状にしたものである。スリットの長さは、育苗用ポット１０と同じであるので、同じ符号を付し、重複説明を省略する。
【００２５】
この実施例の育苗用ポットを苺苗に適用し、以下のデータを得た。
１．耕種の概要
（１）面積：１０ａ
（２）土性：砂壌土、水田、
（３）栽培形態：施設栽培
（４）栽培内容
ア  育苗方法：棚式育苗施設
イ  栽培時期：ランナーの鉢すけ…６月上旬、切離し…７月上旬、追肥…ＩＢＳ１号２〜３粒／ポット、最終追肥…８月中旬
ウ  育苗した苺の品種名：「とよのか」
エ  施肥：元肥、追肥
オ  定植（畑）時期：９月中旬
ビニール被覆時期：１０月下旬
２．調査対象
実施例の育苗用ポット（１３０ｃｃ）、
比較例I（下部に縦溝を設けたもの）
比較例II（底部に６ｍｍの排水孔を設けたもの）
比較例III（底部に４ｍｍの排水孔を設けたもの）
比較例IV（溝を設けないもの、底部に排水孔あり）
３．調査方法
（１）対象株数：I〜IVをそれぞれ１０株
（２）調査時期
ア  育苗期：草丈、新生第３葉の葉幅、葉長、クラウン径、株重、根の状態（達観）
イ  定植後育成期：葉数、新生第３の葉幅、葉長、葉柄長
ウ  出蕾から開花期：出蕾時期、着果数
オ  収穫期：２番果の着果数
４．調査結果
上記調査時期のうち、（１）育苗期、（２）定植後育成期から出蕾・開花期、（３）収穫期について、データを採取した結果は下記の表に示す。
【００２６】
（１）育苗期
・７月下旬（表１参照）
この育苗期は、何れの育苗用ポットも草丈、葉幅、葉長及び葉柄長に関して、特に優劣の差がなかった。また、根張り状況を観察したところ、比較例III、IVが比較的よく、比較例Iは下方の根張りが悪かった。
【００２７】
【表１】
2005229872.tif 000003
【００２８】
・８月上旬（表２参照）
株重は、実施例のものが最も重く、株の育成が最もよかった。また、比較例II、IIIがほぼ同等であった。比較例Iは下方の根張りは不良であった。
【００２９】
【表２】
2005229872.tif 000004
【００３０】
・８月下旬（表３参照）
全体的な育成は、実施例、比較例IIIが良好であった。根張りの状態は、比較例IVがほぼ全体にしっかりと根鉢を形成していたのに対して、実施例、比較例II、IIIは根鉢表面の根の露出がやや少なかった。実施例のものは、根が僅かではあるが比較例IVと比較すると褐変の割合が多かった。
【００３１】
【表３】
2005229872.tif 000005
【００３２】
（２）定植後育成期から出蕾・開花期
定植後は、実施例と比較例IVについて調査した。その結果を以下に示す。
・１０月下旬（表４参照）
両者は、この時期にほぼ１００％出蕾した。また、葉の展開は、実施例のものが早かった。
【００３３】
【表４】
2005229872.tif 000006
【００３４】
・１１月上旬（表５参照）
この時期の育成ステージは、頂果房が１〜４番まで開花終了、一番果緑熟期であって、その中で実施例が開花ステージが早かった。
【００３５】
【表５】
2005229872.tif 000007
【００３６】
・１月下旬（表６参照）
果個数が実施例のものが１７．６、比較例IVのものが１５．８となり、実施例が比較例IVに比べて、約１１％増となっている。
【００３７】
【表６】
2005229872.tif 000008
【００３８】
全体の考察；
育苗期においては、実施例及び比較例I〜IVが全般的に根鉢の形成が遅かった。特に比較例Iが下方の根鉢形成の遅さは非常に顕著なものであった。鉢内の通気性が良くなったことが影響したと考えられる。また、全般に育苗用ポットが乾燥し易く根の褐変がやや多かったことから灌水量を増やすことが必要と思われる。全般的な育成は、実施例のものが最も良好であった。
生育期においては、初期生育時は大きな差はなかったが、着果数（葉枚数）は実施例のものがやや多かった。樹勢については実施例のものが全般的に強かった。しかし、２月に入ってからは両者とも育成に大きな差がみられない。
育苗用ポットによる育苗での良苗生産ということを考えると、実施例のものの発育が最もよかった。
【図面の簡単な説明】
【００３９】
【図１】図１は本発明の一実施例の育苗用ポットを示す斜視図、
【図２】図２は本発明の育苗用ポットの変形例を示す斜視図、
【図３】図３は下記特許文献１に記載された２種類の育苗用ポットを示し、同図（ａ）は横断面が円形状タイプの育苗用容器を示す斜視図、同図（ｂ）は横断面が矩形状タイプの育苗用容器を示す斜視図、
【図４】図４はこの特許文献２に記載された育苗用筒を示し、同図（ａ）は側面図、同図（ｂ）は（ａ）のＡ−Ａ線の断面図。
【符号の説明】
【００４０】
１０          育苗用ポット
１１          筒状体容器
１１ａ        開口部
１１ｂ        底壁
１２          排水孔
１３１、１３２  スリット
１４          フランジ片
【図１】
2005229872.tif 000009
【図２】
2005229872.tif 000010
【図３】
2005229872.tif 000011
【図４】
2005229872.tif 000012